(57)【要約】【課題】畳上面に確実に固定させて十分な強度を得ることができる畳用手摺りを提供する。【解決手段】畳上面に固定される平板状の固定手段１と、該固定手段１上に立設される支柱２と、該支柱２の上端から略水平方向に延設される手摺り部材３とを有した畳用手摺りにおいて、固定手段１は、先端が鋭角とされて畳の厚さより若干長いパイプ状部材５と、該パイプ状部材５内を挿通可能とされ、上端に頭部６ａを有する木ネジ６とから成り、当該木ねじ６が畳上面から下面まで貫通して当該畳下に敷設された粗床Ａまで達し、ネジ部６ｂで螺着した構成とされたものである。【選択図】　図４
2004019413.tif 000002
【特許請求の範囲】
【請求項１】
畳上面に固定される平板状の固定手段と、
該固定手段上に立設される支柱と、
該支柱の上端から略水平方向に延設される手摺り部材と、
を有した畳用手摺りにおいて、
前記固定手段は、畳上面から下面まで貫通して当該畳下に敷設された粗床まで達する支持具にて畳上面に固定されたことを特徴とする畳用手摺り。
【請求項２】
前記固定手段は、平面視略円形状に形成され、その中心から等間隔で放射状に延びる３本の切欠を有し、該切欠に前記支持具を挿通させて、その先端を粗床まで達せさせたことを特徴とする請求項１記載の畳用手摺り。
【請求項３】
前記前記支持具は、
先端が鋭角とされ、畳の厚さより若干長いパイプ状部材と、
該パイプ状部材内を挿通可能とされ、上端に前記切欠の幅よりも大径の頭部を有するとともに先端側にネジ部を有する木ネジと
を有し、前記パイプ状部材を畳におけるイグサの目に沿って厚さ方向に挿通した後、前記木ネジを当該パイプ状部材内に挿通させ、その先端のネジ部を粗床に螺着させることを特徴とする請求項１又は請求項２記載の畳用手摺り。
【請求項４】
前記支柱は、
固定手段に固定されたパイプ状の第１支柱と、
該第１支柱内に挿通可能なパイプ状の第２支柱と、
該第２支柱を第１支柱に対して所望の位置で固定すべく当該第２支柱及び第１支柱の径方向に亘って係止可能な高さ調整具と、
を有することを特徴とする請求項１〜請求項３のいずれか１つに記載の畳用手摺り。
【発明の詳細な説明】
【０００１】
【発明の属する技術分野】
本発明は、畳上面から延設された支柱の上端に手摺り部材を形成させた畳用手摺りに関し、特に、支柱を畳上面で確実に固定させることができる畳用手摺りに関する。
【０００２】
【従来の技術】
近年、我国においては高齢化社会を迎え、高齢者が暮らしやすい住宅環境がより一層求められるに至っている。例えば、家屋内における手摺りは、高齢者にとって好適な暮らしを達成するのに最も必要なものの一つであり、階段は勿論、あらゆる箇所に設置しておくのが好ましいとされているが、和室に手摺りを設置しようとすると、畳の上に支柱を立設させなければならず、確実な固定が困難となっている。
【０００３】
そこで、従来、例えば特開２００１−３４９０３１号公報で開示されているような手摺りの固定手段が提案されている。同公報によれば、円盤状の固定手段を畳上に立設させ、その中央から支柱を立設させて水平方向に延びる手摺り部材を支持しているとともに、固定手段に上下に延びる孔を複数形成しておき、かかる孔に夫々木ネジやピン等を挿通して畳に対して固定手段を固定している。
【０００４】
【発明が解決しようとする課題】
しかしながら、上記従来の畳用手摺りにおいては、木ネジ等支持具の先端が畳の内部に留まっているにすぎず、固定手段の固定が不十分となる虞があった。即ち、畳の内部はワラ等の軟弱な部材で構成されているため、かかる軟弱な部分に固定手段を固定させたとしても手摺りの強度が不十分となってしまうのである。
【０００５】
本発明は、このような事情に鑑みてなされたもので、畳上面に確実に固定させて十分な強度を得ることができる畳用手摺りを提供することにある。
【０００６】
【課題を解決するための手段】
請求項１記載の発明は、畳上面に固定される平板状の固定手段と、該固定手段上に立設される支柱と、該支柱の上端から略水平方向に延設される手摺り部材とを有した畳用手摺りにおいて、前記固定手段は、畳上面から下面まで貫通して当該畳下に敷設された粗床まで達する支持具にて畳上面に固定されたことを特徴とする。
【０００７】
請求項２記載の発明は、請求項１記載の畳用手摺りにおいて、前記固定手段は、平面視略円形状に形成され、その中心から等間隔で放射状に延びる３本の切欠を有し、該切欠に前記支持具を挿通させて、その先端を粗床まで達せさせたことを特徴とする。
【０００８】
請求項３記載の発明は、請求項１又は請求項２記載の畳用手摺りにおいて、先端が鋭角とされ、畳の厚さより若干長いパイプ状部材と、該パイプ状部材内を挿通可能とされ、上端に前記切欠の幅よりも大径の頭部を有するとともに先端側にネジ部を有する木ネジとを有し、前記パイプ状部材を畳におけるイグサの目に沿って厚さ方向に挿通した後、前記木ネジを当該パイプ状部材内に挿通させ、その先端のネジ部を粗床に螺着させることを特徴とする。
【０００９】
請求項４記載の発明は、請求項１〜請求項３のいずれか１つに記載の畳用手摺りにおいて、前記支柱は、固定手段に固定されたパイプ状の第１支柱と、該第１支柱内に挿通可能なパイプ状の第２支柱と、該第２支柱を第１支柱に対して所望の位置で固定すべく当該第２支柱及び第１支柱の径方向に亘って係止可能な高さ調整具とを有することを特徴とする。
【００１０】
【発明の実施の形態】
以下、本発明の実施形態について図面を参照しながら具体的に説明する。
本実施形態に係る畳用手摺りは、和室に敷設された畳上に固定され、高齢者等が把持することにより体を支持し得るもので、図１に示すように、畳上面に固定される一対の固定手段１と、該固定手段１のそれぞれから立設された一対の支柱２と、該一対の支柱の上端に亘って懸架された手摺り部材３とから主に構成されている。
【００１１】
固定手段１は、図２に示すように、平面視円形状に形成された金属製部材から成り、その中心Ｃから等間隔で放射状に延びる３本の切欠１ａ、１ｂ及び１ｃを有している。そして、これら切欠１ａ〜１ｃには、固定手段１と畳とを連結して固定するための支持具４（後で詳述する）が挿通されることとなる。このように、支持具４を挿通するための切欠１ａ〜１ｃが等間隔に放射状に延びて形成されているので、支持具４を畳に挿通（穿刺）させた場合に当該畳の損傷を抑制することができる。
【００１２】
即ち、畳は、通常、同図に示すようにイグサの目が複数の列に亘って形成されており、各列に２本の横糸（織り糸）が懸架されているが、本実施形態によれば、支持具４を所定の列（同図においては列Ｌａ及びＬｂ）内に収めることができるとともに、それぞれの列Ｌａ及びＬｂに懸架された２本の横糸（同図においては横糸Ｌａ１とＬａ２、及び横糸Ｌｂ１とＬｂ２）の間にも収めることができ、当該横糸の損傷を回避できるのである。
【００１３】
加えて、固定手段１を等間隔放射状の３箇所で固定することができるので、手摺り部材３に付与されるあらゆる方向からの荷重にも十分耐えることができ、手摺りとしての強度を十分なものとすることができる。尚、畳の破損を回避することを考慮しなければ、固定手段１に４本以上の切欠を設け、それぞれの切欠に支持具４を挿通させるようにしてもよい。
【００１４】
支持具４は、図３に示すように、固定手段１と畳とを連結させて固定し、畳用手摺り全体を固定させるもので、固定手段１の各切欠４の幅より大きな外径を有したパイプ状部材５と、該パイプ状部材５内に挿通される木ネジ６とから成る。パイプ状部材５は、ステンレスから成る管状部材で構成され、先端５ａが鋭角に形成されているとともに、長手方向の寸法Ｌ１が畳の厚さＨ（図４参照）より若干長く設定されている。
【００１５】
木ネジ６は、パイプ状部材５内を挿通可能とされ、上端に切欠１ａ〜１ｃの幅よりも大径の頭部６ａを有するとともに先端側にネジ部６ｂを有して構成されている。また、かかる木ネジ６は、パイプ状部材５内に挿通させると、当該パイプ状部材５の先端５ａからネジ部６ｂが突出するよう、その長手寸法Ｌ２が設定されている。
【００１６】
固定手段１の各切欠１ａ〜１ｃ下における畳Ｔにパイプ状部材５を打ち込み、該パイプ状部材５の上端を各切欠１ａ〜１ｃから上方に臨ませた状態にて当該固定手段１を載置する。そして、各切欠１ａ〜１ｃの上方から木ネジ６を挿通させるとともに、パイプ状部材５内に回転させながら挿通すると、図４に示すように、木ネジ６のネジ部６ｂが畳Ｔ下に敷設された粗床Ａ（板床）に螺着するようになっている。
【００１７】
即ち、パイプ状部材５を畳Ｔの上面から下面まで貫通させるとともに、木ネジ６の先端側に形成されたネジ部６ｂが粗床Ａにまで達するようにしているのである。尚、パイプ状部材５は、畳Ｔの上面における畳表Ｔ’のイグサの目及び横糸を避けて打ち込まれており、損傷が回避されている。
【００１８】
かかる状態においては、木ネジ６の頭部６ａが固定手段１の上面（切欠１ａ〜１ｃの縁部）に当接するので、固定手段１は畳Ｔ上面にて固定されることとなる。従って、固定手段１は、畳Ｔのみでなく、その下に敷設された粗床Ａと連結されることとなり、軟弱な畳Ｔに対してのみ連結して固定されたものに比べ、手摺りとしての強度を十分なものとすることができる。
【００１９】
加えて、パイプ状部材５が畳Ｔの厚さより若干長く形成され、当該パイプ状部材５の上端が固定手段１の下面と当接した状態にて設置されると、これらの間にクリアランスＣＬが生じる。従って、固定手段１の下面を畳の上面に接触させたものに比べ、畳用手摺りを撤去した後の跡が残りにくくなっている。かかるクリアランスＣＬの大きさは、パイプ状部材５の長さを任意に変更するのみで変えることができる。
【００２０】
然るに、粗床Ａは、畳Ｔ下に敷設されるものであるため、畳用手摺りを撤去した後に木ネジ６の跡が付いていても外見上目立つことはなく、畳を新たに交換する必要がない。また、畳Ｔに直接挿通されるパイプ状部材５は、その先端が鋭角とされているので、畳Ｔ上面のイグサの目に沿って挿通させることができ、当該イグサの目の損傷をも回避することができる。勿論、当該パイプ状部材５内を挿通する木ネジ６においては、畳Ｔ自体を傷つけることはない。
【００２１】
支柱２は、図５に示すように、固定手段１上面に固定されたパイプ状の第１支柱２ａと、該第１支柱２ａ内に挿通可能なパイプ状の第２支柱２ｂと、第２支柱２ｂを第１支柱２ａに対して所望の位置で固定する高さ調整具７とを有したものであり、上端にキャップ８が被せられて構成されている。尚、キャップ８を介して手摺り部材３が配設されるよう構成されている。
【００２２】
具体的には、第１支柱２ａの内径は、第２支柱２ｂの外形より若干大きく形成され、当該第１支柱２ａ内において、その軸方向に第２支柱２ｂが移動自在となっている。第１支柱２ａの下端は固定手段１に固定される一方、第２支柱２ｂの上端側に手摺り部材３が形成されるので、第１支柱２ａに対して第２支柱２ｂを所望の高さで固定すれば手摺り部材３の高さを任意に調整することができるのである。
【００２３】
また、第１支柱２ａにおける上端近傍の側面には、貫通孔２ａａが形成されているとともに、第２支柱２ｂにおける側面には、複数の貫通孔２ｂａ〜２ｂｇが長手方向に複数並んで形成されており、棒状の高さ調整具７を貫通孔２ａａと何れかの貫通孔２ｂａ〜２ｂｇとに亘って挿通させることにより、手摺り部３の高さを調整可能としている。
【００２４】
即ち、高さ調整具７を挿通させるべき貫通孔を２ｂａ〜２ｂｇの何れかから選択し、その貫通孔と第１支柱２ａの貫通孔２ａａとに跨って当該高さ調整具７を挿通させれば、これら支柱同士を径方向に亘って係止することができ、手摺り部材３が所望高さとなる位置のまま固定することができるのである。高さ調整具は、本実施形態の如くボルト７ａ及び袋状ナット７ｂから成る係止部材で構成するのが好ましいが、単に棒状を各貫通孔に挿通させて係止するものとしてもよい。
【００２５】
第２支柱２ｂの上端に被せられたキャップ８は、上端面にボルトＢを挿通させるボルト孔８ａを有した樹脂製の円筒状部材から成るものである。このキャップ８には、ステー９の一端が固定されており、該ステー９の他端が手摺り部材３の下面に固定されることにより、手摺り部材３に対する下方への荷重に十分耐え得るようになっている。かかるステー９は、強度上問題なければ形成しなくてもよい。
【００２６】
更に、キャップ８の側面には、図６に示すように、タッピングボルトＴＢを挿通し得る貫通孔８ｂが形成されており、当該タッピングボルトＴＢを貫通孔８ｂに挿通させると、その先端が第２支柱２ｂの側面に当接して係止し得るよう構成されている。即ち、タッピングボルトＴＢを挿通しない状態では、キャップ８は第２支柱２ｂに対して同図矢印方向に回転自在とされており、タッピングボルトＴＢによって係止されると固定されるのである。
【００２７】
これにより、畳Ｔ上面に固定手段１を固定させた後、そこから支柱２を立設させた状態で手摺り部材３を取り付けようとした場合、キャップ８を矢印方向に回転させて手摺り部材３の延設方向を決定しておき、その位置でタッピングボルトＴＢにて固定させることができる。従って、手摺り部材３の延設方向を可変とすることができる。
【００２８】
また、同図中符号１０は、手摺り部材３の下面にボルト等によって固定されたブラケットを示しており、かかるブラケット１０の下部１０ａがボルトＢに螺合されて第２支柱２ｂ上端に固定されている。尚、本実施形態によれば、キャップ８に対してブラケット１０が固定され回転しない構成とされているが、これらの間にスペーサ等を介在させることによりブラケット１０をキャップ８に対して回転自在（同図矢印方向）とし、手摺り部材３の延設方向を常時可変とすることもできる。
【００２９】
手摺り部材３は、一対の支柱２に亘って配設されて高齢者等が把持して体を支え得るよう構成されたものである。本実施形態においては木製の中実棒状部材が用いられているが、他の材質（強化樹脂等）或いは他の形状（断面が矩形状）等のものとしてもよい。更に、本実施形態においては、２本の支柱２に亘って手摺り部材３が配設されているが、３本以上の複数の支柱に亘って手摺り部材３を配設し、より長い手摺りとしてもよい。
【００３０】
上記畳用手摺りによれば、固定手段１を畳Ｔに対して固定させる支持具４が、畳Ｔ上面から下面まで貫通して粗床Ａまで達しているので、固定手段１を強固に固定させることができ、畳用手摺りとしての強度を十分なものとすることができる。また、パイプ状部材５が畳Ｔにおけるイグサの目に沿って挿通され、その内部を木ネジ６が挿通されつつ粗床Ａと螺着するので、畳Ｔの破損が抑制され、畳用手摺りを撤去した後においても跡が残り難くなっている。
【００３１】
以上、本実施形態について説明したが、本発明はこれに限定されるものではなく、例えば木ネジ６に代えて釘状のものとし、当該釘状部材の先端が粗床に達して固定されるものとしてもよい。勿論、かかる釘状部材の上端には頭部が形成され、固定手段の固定時に、かかる頭部が固定手段１の上面に当接する構成とする必要がある。
【００３２】
【発明の効果】
請求項１の発明によれば、固定手段が畳上面から下面まで貫通して当該畳下に敷設された粗床まで達する支持具にて畳上面に固定されるので、当該固定手段を畳上面に確実に固定させて手摺りとしての十分な強度を得ることができる。
【００３３】
請求項２の発明によれば、固定手段が平面視略円形状に形成され、その中心から等間隔で放射状に延びる３本の切欠を有し、該切欠に支持具を挿通させて固定されるので、畳におけるイグサの目に対し垂直に延びる横糸を避けて支持具を畳に挿通させることができ、畳の破損を回避することができる。
【００３４】
請求項３の発明によれば、パイプ状部材を畳みに挿通させた後、当該パイプ状部材に木ネジを挿通させ、その先端を粗床に螺着させているので、畳上面のイグサの目の破損を回避することができ、畳用手摺りを撤去した後に跡が残りにくくすることができる。また、パイプ状部材が畳の厚さより若干長いので、該パイプ状部材の上端に固定手段を載置させれば、畳の上面と固定手段との間にクリアランスを設けることができ、畳用手摺りを撤去した後の跡を更に残りにくくすることができる。
【００３５】
請求項４の発明によれば、第１支柱に対して第２支柱を所望の位置まで挿通させ、その位置で高さ調整具にて固定するので、簡易な構成にて手摺り部材の高さ調整を行うことができる。
【図面の簡単な説明】
【図１】本発明に係る実施形態の畳用手摺りを示す全体模式図
【図２】本発明に係る実施形態の畳用手摺りにおける固定手段を示す平面図
【図３】本発明に係る実施形態の畳用手摺りにおける支持具（パイプ状部材及び木ネジ）を示す模式図
【図４】本発明に係る実施形態の畳用手摺りにおける支持具により、固定手段が畳及び粗床に固定された状態を示す断面模式図
【図５】本発明に係る実施形態の畳用手摺りを示す縦断面図
【図６】本発明に係る実施形態の畳用手摺りにおける支柱上端部（主にキャップ近傍）を示す斜視図
【符号の説明】
１…固定手段
１ａ〜１ｃ…切欠
２…支柱
２ａ…第１支柱
２ｂ…第２支柱
３…手摺り部材
４…支持具
５…パイプ状部材（支持具）
６…木ネジ（支持具）
６ａ…頭部
６ｂ…ネジ部
７…高さ調整具
８…キャップ
９…ステー
１０…ブラケット
【図１】
2004019413.tif 000003
【図２】
2004019413.tif 000004
【図３】
2004019413.tif 000005
【図４】
2004019413.tif 000006
【図５】
2004019413.tif 000007
【図６】
2004019413.tif 000008